(57)【要約】      （修正有）【課題】窓ガラスとしての眺望を妨げぬようにスペーサと共鳴用部材との有効空隙を小さくしても、また、共鳴用部材の加工を容易にするとともに意匠上の配慮から貫通孔のピッチを大きくして孔数を少なく（孔径を大きく）しても、既往の共鳴周波数計算式で表されるパラメータを選択して算出される従来の共鳴器を備えた複層ガラスと同等の遮音性能が得られる複層ガラスを提供する。【解決手段】複層ガラス１０は、複層ガラス１０の中空層内にスペーサ１２に平行にスペーサ１２と所定距離の位置に共鳴用部材１４が配設され、共鳴用部材１４、スペーサ１２および２枚の板ガラス１８、１８で画する空洞部が形成され、共鳴用部材１４には中空層と空洞部とを連通する複数個の貫通孔１６、１６…が形成されており、該貫通孔１６は一端または両端の開口部が、該開口部以外のストレート孔部よりも径が大きい拡径開口部となっている。【選択図】図１
2008266062.tif 000002
【特許請求の範囲】
【請求項１】
少なくとも２枚の板ガラスを、その周縁に配設したスペーサを介して隔置することにより、前記板ガラス間に中空層を形成してなる複層ガラスにおいて、
前記複層ガラスの少なくとも１辺において、前記中空層内には前記スペーサに平行に該スペーサと所定距離の位置に共鳴用部材が配設され、該共鳴用部材、前記スペーサおよび２枚の板ガラスで画する空洞部が形成され、
前記共鳴用部材の少なくとも１つには前記中空層と前記空洞部とを連通する複数個の貫通孔が形成されており、該貫通孔の一端または両端の開口部が、該開口部以外のストレート孔部よりも径が大きい拡径開口部とされていることを特徴とする複層ガラス。
【請求項２】
前記複層ガラスの隣り合う２辺にのみ、前記拡径開口部を有する貫通孔が形成された共鳴用部材が配設されている請求項１に記載の複層ガラス。
【発明の詳細な説明】
【技術分野】
【０００１】
本発明は複層ガラスに係り、特に遮音性能を高めるために共鳴用部材を介装した複層ガラスに関する。
【背景技術】
【０００２】
複層ガラスにおける遮音性能の良否は、コインシデンス効果と共鳴透過現象との如何に依存するとされている。このうち、コインシデンス効果による遮音性能の低下は、使用する板ガラスの密度や縦弾性係数のほか、その時々の気温等にも関係するとされており、単板ガラスのみならず複層ガラスにも発生する共通の現象である。
【０００３】
一方、低音域での共鳴透過現象は、等間隔で隔置された２枚の板ガラスが共鳴することにより発生する複層ガラスに特有の現象である。
【０００４】
従来から使用されている一般的な複層ガラスにおいては、スペーサ部材の両側面と板ガラスとの間には一次シールが、２枚の板ガラス端縁とスペーサ部材の外側面とを覆って二次シールが設けられている。
【０００５】
しかし、この構成では、複層ガラスの中空層の大きさ、該中空層に封入された気体の種類、板ガラスの厚さ等の制限により、１６０〜５００Ｈｚの音域で共鳴透過現象による遮音性能の低下という不具合が生じやすい。また、２枚の板ガラスの板厚が同一または近似である場合、コインシデンス効果が顕著に生じ、高音域から中音域にかけても遮音性能が低下するという不具合が生じやすい。
【０００６】
上記欠点の対処法として、共鳴器を備えた複層ガラスが特許文献１に提案されている。この複層ガラスは、複層ガラスの少なくとも１辺において、スペーサ部材に平行にスペーサ部材と所定距離の位置に共鳴用部材（棒状部材）が配設されている。この共鳴用部材とスペーサ部材と２枚の板ガラスとによって空洞部が画成されるとともに、中空層と空洞部とを連通する複数個の貫通孔が共鳴用部材に形成されることにより、共鳴用部材と空洞部とによって共鳴器が形成されている。この共鳴器によって、共鳴透過による低周波数域での遮音欠損を改善することができる。
【特許文献１】特開２００４−２０５９９２号公報
【発明の開示】
【発明が解決しようとする課題】
【０００７】
しかしながら、特許文献１の複層ガラスにおいても、遮音性能を向上するには、スペーサと共鳴用部材との有効空隙（スペーサと共鳴用部材との間隔）を拡大せざるを得ず、この複層ガラスを窓ガラスとして使用した場合、共鳴用部材が窓の額縁より大きく内側に露出し、窓ガラスとしての透視性や眺望を妨げるという欠点があった。また、遮音性能を向上する他の手段として、共鳴用部材に形成される貫通孔の孔径を小さく（貫通孔のピッチを小さくして孔数を多く）する手段があるが、これでは共鳴用部材の加工に手間がかかるという問題があり、かつ孔数が多くて外観上目立つため意匠的にも好ましくなかった。
【０００８】
本発明は、このような事情に鑑みてなされたもので、窓ガラスとしての眺望を妨げぬようにスペーサと共鳴用部材との有効空隙を小さくしても、また、共鳴用部材の加工を容易にするとともに意匠上の配慮から貫通孔のピッチを大きくして孔数を少なく（孔径を大きく）しても、優れた遮音性能が得られる複層ガラスを提供することを目的とする。
【課題を解決するための手段】
【０００９】
前記目的を達成するため、本発明は、少なくとも２枚の板ガラスを、その周縁に配設したスペーサを介して隔置することにより、前記板ガラス間に中空層を形成してなる複層ガラスにおいて、前記複層ガラスの少なくとも１辺において、前記中空層内には前記スペーサに平行に該スペーサと所定距離の位置に共鳴用部材が配設され、該共鳴用部材、前記スペーサおよび２枚の板ガラスで画する空洞部が形成され、前記共鳴用部材の少なくとも１つには前記中空層と前記空洞部とを連通する複数個の貫通孔が形成されており、該貫通孔の一端または両端の開口部が、該開口部以外のストレート孔部よりも径が大きい拡径開口部とされていることを特徴とする複層ガラスを提供する。
【００１０】
本願の発明者は、既往の共鳴周波数計算式で表されるパラメータの最適化によらない共鳴用部材の貫通孔の形状と共鳴用部材の配置に関し、請求項１に記載の如く、貫通孔の一端または両端の開口部の形状を拡径開口部とする新たな構造を実験により見出した。この新たな構造により、従来の複層ガラスよりも遮音性能が高くなる。その際の評価量は、ＪＩＳ Ａ ４７０６に規定された遮音等級のＴ−３等級（３５等級）に対する不足量（ｄＢ）であり、不足量が少ないほど遮音性能が高いと評価した。この拡径開口部を設ける新たな技術により、従来採られた小孔径化によることなく遮音性能を向上させることができる。これにより、小孔径化による共鳴用部材の多孔加工のコストを低減でき、かつ、孔数増加による外観意匠の低下を抑制できる。また、窓ガラスとしての眺望を妨げぬようにスペーサと共鳴用部材との有効空隙を小さくしても、既往の共鳴周波数計算式で表されるパラメータを選択して算出される従来の共鳴器を備えた複層ガラスと同等の遮音性能が得られることを実験により確認した。また、前記有効空隙を小さくして眺望を改善することは、共鳴用部材が目立たなくなることと等しいので、複層ガラスの外観意匠が向上する。
【００１１】
請求項２に記載の発明は、請求項１において、前記複層ガラスの隣り合う２辺にのみ、前記拡径開口部を有する貫通孔が形成された共鳴用部材が配置されていることを特徴としている。
【００１２】
請求項２に記載の発明によれば、複層ガラスの隣り合う２辺にのみ、拡径開口部を有する貫通孔が形成された共鳴用部材が配設されるのが好ましい。すなわち、拡径開口部を有する貫通孔が形成された共鳴用部材の配置を非対象のＬ型にすると、遮音性能が一層高くなることが実験により判明した。
【発明の効果】
【００１３】
本発明の複層ガラスによれば、貫通孔の一端または両端の開口部を拡径開口部としたので、窓ガラスとしての眺望を妨げぬようにスペーサと共鳴用部材との有効空隙を小さくしても、また、共鳴用部材の加工を容易にするとともに意匠上の配慮から貫通孔のピッチを大きくして孔数を少なく（孔径を大きく）しても、優れた遮音性能を得ることができる。
【発明を実施するための最良の形態】
【００１４】
以下、添付図面に従って本発明に係る複層ガラスの好ましい実施の形態を詳説する。
【００１５】
図１は実施の形態に係る複層ガラス１０の一例を示した組立斜視図であり、図２は図１の複層ガラス１０の縦断面図である。また、図３は複層ガラス１０を構成するスペーサ１２と共鳴用部材１４とを含む複層ガラス１０の辺部の拡大断面図である。更に、図４、図５には、共鳴用部材１４の貫通孔１６に形成された拡径開口部１６Ａ、１６Ｂの好ましい例がそれぞれ示されている。
【００１６】
図１、図２に示すように、共鳴用部材１４は複層ガラス１０の４辺においてスペーサ１２と有効空隙（所定距離の間隔）をもって平行に配設されている。なお、符号１５は、共鳴用部材１４の端部を支持する透明樹脂製のサポータであり、複層ガラス１０の４隅部においてスペーサ１２に固定されている。
【００１７】
図３に示すように、複層ガラス１０は、２枚の板ガラス１８、１８を、スペーサ１２によって、板ガラス１８、１８とスペーサ１２との間に一次シール２０を介して所定の間隔に保持し、板ガラス１８、１８の周縁部内部とスペーサ１２の外周面とで形成された凹部に二次シール２２を配して周縁部がシールされている。
【００１８】
板ガラス１８としては、建築用に一般的に使用されるソーダライムシリカガラス（例えば、旭硝子社製フロート板ガラス、商品名：ＡＳ）が代表的であるが、これに限られずその他の組成の板ガラスも使用できる。同様に、通常のフロート板ガラス以外にも、強化ガラスや網入り板ガラス、型板ガラス、合わせガラスも使用でき、片側の板ガラス１８を合わせガラスとし、他方を単板の板ガラスとする等、種類や厚さの異なる板ガラスを組み合わせて使用することもできる。また、板ガラスの外側にフィルムや樹脂等が接着された複層ガラスは、安全面に優れ、複層ガラスとしての機能向上に寄与できる。更に、無機質の板ガラスのみならず有機質の板状体、例えばポリカーボネート、アクリル樹脂等も使用できる。なお、製造上および市場の観点から、板ガラスの厚さは２〜３０ｍｍ、板ガラス相互の間隔が４〜３０ｍｍであることが好ましいが、本発明の複層ガラスは、この範囲に限定されるものではない。
【００１９】
スペーサ１２は、板ガラス１８、１８の相互の間隔が所定値に確保できれば材質、形状は限定されないが、図３のような断面矩形状が好ましい。なお、図３では省略したが、スペーサ１２の中空部分に乾燥剤を充填したものでは、スペーサ１２の中空層側に貫通孔を所定間隔で複数個設ければよい。
【００２０】
一次シール２０としては、主に耐透湿性および粘着力を発揮できる材質が好ましく、たとえば、ポリイソブチレンが好適に使用できる。二次シール２２としては、主に接着力を発揮できる材質が好ましく、たとえば、ポリスルフィド、ウレタン樹脂、シリコーン樹脂が好適に使用できる。
【００２１】
なお、複層ガラス１０としては、２枚の板ガラス１８、１８をその間に設けたスペーサ１２で所定間隔を隔てて重ね合わせ、単一の中空層２４を有する構成に限られるものではなく、３枚以上の板ガラス１８、１８…を隣り合う板ガラス１８、１８間にスペーサ１２を設けて所定間隔を隔てて重ね合わせ、複数の中空層２４、２４…を有する構成であってもよい。
【００２２】
中空層２４内にはスペーサ１２に平行にスペーサ１２と有効空隙Ｈの間隔を隔てて棒状の共鳴用部材１４が配設され、共鳴用部材１４、スペーサ１２および２枚の板ガラス１８、１８によって空洞部２６が画成される。共鳴用部材１４は略矩形断面の角材または板材である。また、共鳴用部材１４は複層ガラス１０の４辺全周に沿って設けてもよいし１辺にのみ、または２辺（図６参照）に沿って設けてもよい。
【００２３】
共鳴用部材１４は所定の厚さＬを有しており、また、共鳴用部材１４には中空層２４と空洞部２６とを連通する直径ｄの複数個の貫通孔１６、１６…が所定の間隔（ピッチ）Ｐ毎に形成されている（図４、図５参照）。共鳴用部材１４は、不図示の窓用額縁より内側に露出することがあるため、窓ガラスとしての透視性や眺望を妨げないように外観上透明材料で形成することが好ましく、スペーサ１２と共鳴用部材１４との有効空隙Ｈは遮音性能と外観上の観点から１５〜５０ｍｍとすることが好ましいが、有効空隙Ｈは小さいほどよい。また、所望の共鳴周波数、例えば１６０〜６３０Ｈｚを有する共鳴器が構成できれば、種々の寸法の共鳴用部材１４を使用可能であるが、外観上および製造上の観点から厚さＬは２〜２０ｍｍ、孔ピッチＰは１０〜２００ｍｍ程度とするのが好ましい。
【００２４】
優れた遮音性能を得るには、直径ｄは１．０〜２．５ｍｍであることが好ましく、厚さＬが５ｍｍの条件下では１．５〜２．０ｍｍであることが特に好ましい。
【００２５】
図４、図５は、共鳴用部材１４に形成された貫通孔１６の一例を示す模式図であり、図４、図５のいずれも、（Ａ）は共鳴用部材１４の部分上面図を示し、（Ｂ）は（Ａ）のア−ア線に沿う共鳴用部材５の縦断面図を示している。なお、（Ａ）に示した共鳴用部材１４の上面とは、複層ガラス１０の中空層２４に向いた面を指している。
【００２６】
貫通孔１６の一端に形成された拡径開口部１６Ａ、１６Ｂの径Ｄは、ストレート孔部である貫通孔１６の直径ｄよりも大きく、かつ貫通孔１６と同心に形成されている。図４（Ｂ）に示す拡径開口部１６Ａの縦断面は、共鳴用部材１４の表面側から内部側に向かって直線状の輪郭を描く、いわゆる皿孔状の形状となっている。図５（Ｂ）に示す拡径開口部１６Ｂの縦断面は、共鳴用部材１４の表面側から内部側に向かって円弧状の輪郭を描く形状となっている。拡径開口部の深さｌは、共鳴用棒材の厚さＬの５０％以下、すなわちＬが５ｍｍの場合にはｌは２．５ｍｍ以下とするのが望ましい。これは、拡径開口部が貫通孔全体に占める割合がこれより大きくなると、共鳴器の共鳴周波数に及ぼす拡径開口部の影響が無視できなくなるためである。拡径開口部１６Ａ、１６Ｂの縦断面形状は、図４、図５の如くストレート孔部から外側に向って拡径する形状であるが、この形状に限定されず、本発明の効果を奏する限りにおいて、各種の設計変更が可能である。例えば、最も極端な例として、拡径開口部以外のストレート孔部と同様に、拡径開口部もストレート孔形状として、Ｄ＞ｄを満たすように設定してもよい。
【００２７】
なお、図４、図５では、貫通孔１６の中空層２４側の一端のみを拡径開口部１６Ａ、１６Ｂとしたが、空洞部２６側の一端のみに拡径開口部１６Ａ、１６Ｂを形成してもよく、両端に拡径開口部１６Ａ、１６Ｂを形成してもよい。また、拡径開口部１６Ａ、１６Ｂが形成された貫通孔１６を有する共鳴用部材１４は、図６のように、複層ガラス１０の隣り合う２辺にのみ設けるのがより好ましい。すなわち、矩形の複層ガラス１０の４辺のうち、互いに対向する２辺においては一方の辺にのみ、拡径開口部１６Ａ、１６Ｂが形成された貫通孔１６を有する共鳴用部材１４、１４を設けるのがより好ましい。図６によれば、複層ガラス１０の互いに対向する上辺、下辺のうち、下辺にのみ拡径開口部１６Ａ、１６Ｂが形成された貫通孔１６を有する共鳴用部材１４が配設され、同じく、複層ガラス１０の互いに対向する左辺、右辺のうち、右辺にのみ拡径開口部１６Ａ、１６Ｂが形成された貫通孔１６を有する共鳴用部材１４が配設されている。
【００２８】
拡径開口部１６Ａ、１６Ｂが形成された貫通孔１６を有する共鳴用部材１４が配設されない複層ガラス１０の他の辺には、ストレート孔部のみからなる貫通孔１６が形成された共鳴用部材１４を配設してもよいし、共鳴用部材１４を全く配設しなくてもよいが、ストレート孔部のみからなる貫通孔１６が形成された共鳴用部材１４を配設するのが遮音性の観点から特に好ましい。
【００２９】
共鳴用部材１４の材質としては、各種の材料が使用できるが、硬質樹脂、ゴム、金属材料等が、吸音性が少なくて好ましい。また、共鳴用部材１４の表面、すなわち、共鳴用部材１４の上下面および貫通孔１６の周壁面は、平滑に仕上げてあることが、吸音性が少なくて好ましい。
【００３０】
共鳴用部材１４の幅は、板ガラス１８、１８の相互の間隔Ｗ（図３参照）と略等しい。共鳴用部材１４は、図示しない接着等の固定手段により板ガラス１８、１８に固定されている。共鳴用部材１４の固定手段としては、接着等による固定のほか、有効空隙Ｈの距離だけスペーサ１２から離間させて空洞部２６を確保したまま、共鳴用部材１４とスペーサ１２とをサポータ１５または他の連結部材を介して一体化した構造とするなど、各種の設計変更が可能である。
【００３１】
この共鳴用部材１４と空洞部２６とによって共鳴器が形成される。以下、この共鳴器の原理を説明する。
【００３２】
共鳴用部材１４に中空層２４側から音波が入射すると、特定の周波数で貫通孔１６内の空気が激しく振動する。このとき、貫通孔１６内の空気と、貫通孔１６の周壁面との摩擦によって音響エネルギーが熱エネルギーに変換されて吸音効果が得られる。
【００３３】
所定の厚さＬの共鳴用部材１４に連続的に貫通孔１６が配されている構成は、ヘルムホルツ共鳴器が連続的に並んでいる構成と等価であると考えられる。この場合、一般に、該共鳴器は貫通孔１６の数が多い程（ただし、貫通孔１６、１６…のピッチＰは制限されるが）、その吸音効果は大きい。
【００３４】
共鳴器の共鳴周波数（ｆｒ）は、複層ガラスの構成に応じて求められる。すなわち、気体の音速Ｃ、スペーサ１２と共鳴用部材１４との有効空隙Ｈ、共鳴用部材１４の厚さＬ、貫通孔１６の直径ｄ、貫通孔相互のピッチＰおよび板ガラス１８、１８の内のり寸法Ｗ等のパラメータを下記（１）式に代入することによりｆｒが算出される。
【００３５】
【数１】
2008266062.tif 000003
【００３６】
また一般に、複層ガラス１０の構成によってｆｒｍｄ（複層ガラス１０が持つ固有の共鳴透過周波数）が求められる。すなわち、気体中の音速Ｃ、気体の密度ρ、ガラスの面密度ｍおよび板ガラス１８、１８の内のり寸法Ｗ等のパラメータを下記（２）式に代入することによりｆｒｍｄが算出される。
【００３７】
【数２】
2008266062.tif 000004
【００３８】
このように、複層ガラスの構成における各値を任意に設定することにより、所望のｆｒ（共鳴器の共鳴周波数）と、ｆｒｍｄ（複層ガラスの共鳴透過周波数）とを合わせることができる。なお、特許文献１に開示されているように、ｆｒをｆｒｍｄより１／３〜２／３オクターブバンド高音域側へずらした設定とすることにより、共鳴透過による低周波数域での遮音欠損を単一周波数帯域のみならず、欠損帯域全体に渡り改善させることができ、低周波数帯域での遮音効果低下が問題となる複層ガラスにおいて、低周波数帯域の特定の狭い帯域で遮音効果を高めるだけでなくより広い周波数範囲で遮音効果を高めることができる。したがって、本発明に係る複層ガラスの好ましい実施の形態においても、ｆｒをｆｒｍｄより１／３〜２／３オクターブバンド高音域側へずらした設定とするのが好ましい。
【００３９】
後述する実施例の欄において、拡径開口部１６Ａ、１６Ｂが形成された貫通孔１６を有する共鳴用部材１４の効果を述べるが、その前に本発明の他の実施の形態について述べる。
【００４０】
他の実施の形態として、中空層２４に六フッ化硫黄ガス、アルゴンガスまたはクリプトンガスを封入した複層ガラスが挙げられる。通常の複層ガラスは、中空層に乾燥空気または窒素ガスが封入される構成が一般的であるが、これの代わりに、断熱性能を上げることを主たる目的で上記ガスを封入すると、媒体間の音速及び音響インピーダンスの変化による波動的エネルギー損失を生じ、遮音性能が向上する効果が得られる。
【００４１】
なお、窒素ガス、六フッ化硫黄ガス、アルゴンガス、クリプトンガスの０℃、１気圧での密度ρは、それぞれ、１．２５ｋｇ／ｍ３、６．６ｋｇ／ｍ３、１．７８ｋｇ／ｍ３、３．７４ｋｇ／ｍ３であり、音速Ｃは、それぞれ、３３７ｍ／秒、１３０ｍ／秒、３０８ｍ／秒、２１２ｍ／秒であり、その結果ｆｒｍｄ（８ｍｍおよび４ｍｍのフロート板ガラス２枚を１０ｍｍの間隔を隔てて形成した複層ガラスの共鳴透過周波数）は、それぞれ、２１６Ｈｚ、１９２Ｈｚ、２３６Ｈｚ、２３５Ｈｚと算出される。
【００４２】
また、他の実施の形態として、貫通孔１６の少なくとも一方の開口部には音響抵抗材（不図示）が配されてなる構成が挙げられる。このような構成であれば、音響抵抗材が貫通孔１６の前後での気体の摩擦運動を促進し、広い周波数範囲の吸音の効果が得られる。なお、音響抵抗材とは、気体振動（空気振動）により自ら励振されやすい物質であり、たとえば、グラスウール、ロックウール等の繊維材、フィルム等の膜状材、等が挙げられる。
【実施例】
【００４３】
矩形で、縦１４８０ｍｍ、横１２３０ｍｍ、厚さ８ｍｍ及び４ｍｍの板ガラス１８、１８（旭硝子社製フロート板ガラス、商品名：ＡＳ）各１枚を１０ｍｍの間隔を隔てて、複層ガラスを製作し、図１〜３に示される構成と同様の共鳴器を複層ガラス１０の４辺の端縁部分に設けた。共鳴用部材１４の厚さＬは５ｍｍとし、貫通孔１６の直径ｄ、貫通孔１６相互のピッチＰ、スペーサ１２と共鳴用部材１４との間隔（有効空隙）Ｈは、図７の表に示す通りに設定した。共鳴用部材１４の材質は、アクリル系樹脂を使用した。
【００４４】
図７は、４辺に沿って共鳴用部材が配置された複層ガラスの遮音性能を、拡径開口部（端加工）有無により比較確認した結果を示した表である。比較例１ａ、１ｂ、比較例２ａ、２ｂ、比較例３ａ、３ｂは拡径開口部（端加工）無しの共鳴用部材が配置された複層ガラスであり、実施例１ａ、１ｂ、１ｂ’、実施例２ａ、２ｂが４辺に配置された共鳴用部材の全てに拡径開口部（端加工）が設けられた複層ガラスである。実施例Ａは、複層ガラスの４辺のうち、一対の隣り合う２辺に沿って配置された共鳴用部材の中空層側の全ての開口部に皿孔状の拡径開口部（端加工）が設けられ、他の一対の隣り合う２辺に沿って配置された共鳴用部材には拡径開口部（端加工）が設けられていない複層ガラスである。
【００４５】
一般に、遮音性能評価基準としては、ＪＩＳ  Ａ  ４７０６の遮音等級線Ｔ−１〜４（２５〜４０等級）が用いられる。すなわち、音響透過損失曲線が遮音等級線Ｔ−１〜４の各等級線を上回れば、その等級として評価される。遮音等級の判定基準としては、各周波数帯域の測定点（１６点）全てが、該当する遮音等級線を上回ること、又は、各周波数帯域で該当する遮音等級線を下回る値の合計が３ｄＢ以下の場合に、その遮音等級とされる。本例では、各周波数帯域でＴ−３等級（３５等級）の遮音等級線を下回る値の合計をＴ−３不足量（ｄＢ）として図７の表に示し、不足量が少ないほど遮音性能が高いと評価した（比較例）。
【００４６】
比較例１ａ、１ｂはいずれも、貫通孔１６の直径ｄが２ｍｍ、スペーサ１２と共鳴用部材１４との間隔（有効空隙）Ｈが２０ｍｍであり、貫通孔１６相互のピッチＰのみが異なる。ピッチＰが異なることにより、（１）式によるｆｒ（共鳴器の共鳴周波数）が（２）式によるｆｒｍｄ（複層ガラスの共鳴透過周波数）に対して、比較例１ａでは２／３オクターブ・バンド、比較例１ｂでは１／３オクターブバンド各々ずれる（ｆｒ＞ｆｒｍｄ）設計となっている。ここで、ｆｒｍｄは２３８Ｈｚであり、ｆｒは、比較例１ａでは３８３Ｈｚ、比較例１ｂでは３００Ｈｚとなる。
【００４７】
同様に、比較例２ａ、２ｂはいずれも、貫通孔１６の直径ｄが２ｍｍ、スペーサ１２と共鳴用部材１４との間隔（有効空隙）Ｈが１５ｍｍであり、貫通孔１６相互のピッチＰのみが異なり、ｆｒは、比較例２ａでは３８３Ｈｚ、比較例２ｂでは３００Ｈｚとなる。また、比較例３ａ、３ｂはいずれも、貫通孔１６の直径ｄが１．５ｍｍ、スペーサ１２と共鳴用部材１４との間隔（有効空隙）Ｈが１５ｍｍであり、貫通孔１６相互のピッチＰのみが異なり、ｆｒは、比較例３ａでは３８３Ｈｚ、比較例３ｂでは３００Ｈｚとなる。
【００４８】
（拡径開口部の有無による効果）
実施例１ａは、比較例１ａにおいて、複層ガラス１０の４辺に配置された共鳴用部材１４の貫通孔１６の中空層２４側の全ての開口部を皿孔状の拡径開口部としたものであり、拡径開口部の直径Ｄが２．６ｍｍ、深さｌが０．３ｍｍである。同様に、実施例１ｂは、比較例１ｂにおいて、複層ガラス１０の４辺に配置された共鳴用部材１４の貫通孔１６の中空層２４側の全ての開口部を皿孔状の拡径開口部としたものであり、拡径開口部の直径Ｄが２．３ｍｍ、深さｌが０．１５ｍｍである。また、実施例１ｂ’は、比較例１ｂにおいて、複層ガラス１０の４辺に配置された共鳴用部材１４の貫通孔１６のスペーサ１２側の全ての開口部を皿孔状の拡径開口部としたものであり、拡径開口部の直径Ｄが２．３ｍｍ、深さｌが０．１５ｍｍである。
【００４９】
比較例１ａと実施例１ａ、比較例１ｂと実施例１ｂ、比較例１ｂと実施例１ｂ’との比較から、共鳴用部材１４の貫通孔１６を拡径化構造にすることにより、遮音性能が高くなることが確認された。なお、実施例１ｂ、実施例１ｂ’では、Ｔ−３不足量が３ｄＢ以下となっており、遮音等級はＴ−３を満たすものとみなされる。
【００５０】
実施例２ａは、比較例２ａにおいて、複層ガラス１０の４辺に配置された共鳴用部材１４の貫通孔１６の中空層２４側の全ての開口部を皿孔状の拡径開口部としたものであり、拡径開口部の直径Ｄが２．６ｍｍ、深さｌが０．３ｍｍである。同様に、実施例２ｂは、比較例２ｂにおいて、複層ガラス１０の４辺に配置された共鳴用部材１４の貫通孔１６の中空層２４側の全ての開口部を皿孔状の拡径開口部としたものであり、拡径開口部の直径Ｄが２．６ｍｍ、深さｌが０．３ｍｍである。
【００５１】
比較例２ａと実施例２ａ、比較例２ｂと実施例２ｂとの比較からも、共鳴用部材１４の貫通孔１６を拡径化構造にすることにより、遮音性能が高くなることが確認された。
【００５２】
（貫通孔の拡径化と有効空隙Ｈ）
比較例１ａと実施例２ａ、比較例１ｂと実施例２ｂとの比較から、貫通孔１６を拡径化構造にすることにより、孔径ｄを同一としたままでスペーサ１２と共鳴用部材１４との有効空隙Ｈ（共鳴用部材の位置）を２０ｍｍから１５ｍｍにしても、優れた遮音性能が得られることが判明した。
【００５３】
（貫通孔の拡径化と孔径ｄ）
比較例３ａと実施例２ａ、比較例３ｂと実施例２ｂとの比較から、貫通孔１６を拡径化構造にすることにより、スペーサ１２と共鳴用部材１４との有効空隙Ｈ（共鳴用部材の間隔）が同一であっても孔径ｄを１．５ｍｍから２ｍｍへ大きくでき、結果として孔ピッチＰを３９ｍｍまたは６４ｍｍから６５ｍｍまたは１０７ｍｍへ大きくできるので孔数を減らせることが判明した。
【００５４】
（拡径開口部を有する貫通孔の配置）
実施例Ａは、貫通孔の孔径ｄを２ｍｍに設定するとともにスペーサ１２と共鳴用部材１４との有効空隙Ｈ（共鳴用部材の位置）を２０ｍｍに設定し、かつ、複層ガラス１０の４辺のうち、一対の隣り合う２辺に沿って配置された共鳴用部材１４の中空層２４側の全ての開口部を、拡径開口部の直径Ｄが２．６ｍｍ、深さｌが０．３ｍｍの皿孔状の拡径開口部とし、他の一対の隣り合う２辺に沿って配置された共鳴用部材１４には拡径開口部（端加工）を設けていないものである。
【００５５】
実施例１ａ、１ｂ、１ｂ’と実施例Ａとの比較から、複層ガラス１０の４辺のうち、一対の隣り合う２辺に沿って配置された共鳴用部材１４に拡径開口部（端加工）が設けられ（Ｌ型２辺の共鳴用部材１４にのみ拡径開口部（端加工）が設けられている）、他の一対の隣り合う２辺に沿って配置された共鳴用部材１４には拡径開口部（端加工）が設けられていない方が、遮音性能が高いことが判明した。なお、実施例Ａでは、Ｔ−３不足量が３ｄＢ以下となっており、遮音等級はＴ−３を満たすものとみなされる。
【００５６】
以上の実験結果に基づき、拡径開口部が形成された共鳴用部材を有する複層ガラスは、従来のヘルムホルツ共鳴器を持った複層ガラス（比較例１ａ、１ｂ、比較例２ａ、２ｂ、比較例３ａ、３ｂ）に拡径開口部構造という僅かの変更を加えるのみで、充分な遮音効果が得られるため、外観上好ましくない方向への修正を共鳴用部材に加えないでよい。また、異なるガラス構成品で同等の遮音等級の複層ガラスを揃えることに際しても、一般には遮音に不利なより薄いガラス構成を使用できることにつながる。したがって、サッシや窓などの建築空間に全く変更を加えることなく、優れた遮音性能が得られる技術であり、人口密度の高い都市空間において極めて有益である。
【００５７】
また、共鳴用部材に設けられた貫通孔の孔径を同じくしたままで、スペーサと共鳴用部材との有効空隙を小さくしたり、または、スペーサと共鳴用部材との有効空隙を小さくしたままで、貫通孔のピッチを大きく（孔数を少なく）したりして、意匠性の点で不利にならないように既往の共鳴周波数計算式で表されるパラメータを選択しても、優れた遮音性能が得られる複層ガラスを提供することができる。
【図面の簡単な説明】
【００５８】
【図１】実施の形態に係る複層ガラスの一例を示した組立斜視図
【図２】図１に示した複層ガラスの縦断面図
【図３】複層ガラスを構成するスペーサと共鳴用部材とを含む複層ガラスの辺部の拡大断面図
【図４】共鳴用部材の貫通孔に形成された拡径開口部の好ましい例を示した説明図
【図５】共鳴用部材の貫通孔に形成された拡径開口部の好ましい例を示した説明図
【図６】共鳴用部材を複層ガラスの２辺に沿って設けた複層ガラスの要部斜視図
【図７】拡径開口部有無の複層ガラスの遮音性能を比較確認した表
【符号の説明】
【００５９】
１０…複層ガラス、１２…スペーサ、１４…共鳴用部材、１５…サポータ、１６…貫通孔、１６Ａ、１６Ｂ…拡径開口部、１８…板ガラス、２０…一次シール、２２…二次シール、２４…中空層、２６…空洞部
【図１】
2008266062.tif 000005
【図２】
2008266062.tif 000006
【図３】
2008266062.tif 000007
【図４】
2008266062.tif 000008
【図５】
2008266062.tif 000009
【図６】
2008266062.tif 000010
【図７】
2008266062.tif 000011